(57)【要約】【課題】プリンタや表示装置等に配備されたときにコントラストむらのある画像が表示されたり、コントラストむらのある画像がプリントされたりすることのない、小型かつ低廉な駆動装置およびその駆動装置を備えたプリンタを提供する。【解決手段】  一次元的に複数個配列されてなる液晶セルアレイ３０１１の各液晶セルと複数のドライバの信号出力端子とを扇状に広がる複数の配線により接続し、さらに互いに隣接するとともに、互いに隣接するドライバ３０１０ａ，３０１０ｂにより駆動される２つの液晶セル３０１１ａ，３０１１ｂに各一端が接続され、その２つの液晶セルそれぞれから互いに所定間隔を隔てて延び各他端が非接続の２本の配線ｕ，ｖを追加する。【選択図】  図７
2006317540.tif 000002
【特許請求の範囲】
【請求項１】
駆動信号の入力を受けて動作する被駆動セルが所定の配列方向に所定の第１のピッチで一次元的に複数個配列されてなる被駆動ユニットと、
前記被駆動ユニットを構成する複数の被駆動セルの駆動を、該複数の被駆動セルを配列順に複数ずつ複数のグループに区切ったときの各グループごとに分担する複数の駆動ユニットであって、自分が分担する複数の被駆動セルそれぞれを駆動する各駆動信号を出力する信号出力端子が、前記被駆動ユニット側を向いて前記第１のピッチよりも狭い第２のピッチで複数個配列されてなる、前記グループ数と同数の駆動ユニットと、
前記駆動ユニットを構成する各グループ内の複数の被駆動セルそれぞれと、該各グループを分担する各駆動ユニットを構成する複数の信号出力端子それぞれとを接続する、該各駆動ユニットから前記被駆動ユニットに向かって該駆動ユニットごとに扇状に広がる複数の配線と、
互いに隣接するとともに、互いに隣接する駆動ユニットにより駆動される２つの被駆動セルに各一端が接続され、該２つの被駆動セルそれぞれから互いに所定間隔を隔てて延び各他端が非接続の２本以上の配線とを有することを特徴とする駆動装置。
【請求項２】
前記２本以上の配線が、前記２つの被駆動セルに各一端が接続され各他端が非接続の２本の配線であって、
前記２つの被駆動セルのうちの一方である第１の被駆動セルと前記駆動ユニットとを結ぶ配線を第１の配線と称し、前記第１の被駆動セルに隣接する、該第１の被駆動セルを前記２つの被駆動セルのうちの他方である第２の被駆動セルとの間に挟む第３の被駆動セルと前記駆動ユニットとを結ぶ配線を第２の配線と称し、前記第１の被駆動セルに一端が接続され他端が非接続の配線を第３の配線と称し、前記第２の被駆動セルに一端が接続され他端が非接続の配線を第４の配線と称し、
前記第２の配線と前記第１の配線とが隣接して延びる長さをＬｓｔ、前記第２の配線と前記第１の配線とが隣接して延びる部分の該第２の配線と該第１の配線との間の間隔をＤｓｔ、前記第３の配線と前記第４の配線とが隣接して延びる長さをＬｕｖ、前記第３の配線と前記第４の配線とが延びる部分の該第３の配線と該第４の配線との間の間隔をＤｕｖとしたとき、
前記第３の配線と前記第４の配線とからなる２本の配線が、
Ｌｓｔ／Ｄｓｔ＝Ｌｕｖ／Ｄｕｖ
を満足する配線であることを特徴とする請求項１記載の駆動装置。
【請求項３】
前記２本以上の配線が前記２つの被駆動セルから互いに所定間隔を隔ててうねりながら延びた形状を有するものであることを特徴とする請求項１記載の駆動装置。
【請求項４】
前記被駆動セルが、駆動信号を受けて開閉する液晶セルであって、前記駆動ユニットが、該被駆動セルの開閉を制御する制御信号を出力するものであることを特徴とする請求項１記載の駆動装置。
【請求項５】
記録媒体上に光で画像を書き込むプリンタにおいて、
駆動信号の入力を受けて動作する液晶セルが所定の配列方向に所定の第１のピッチで一次元的に複数個配列されてなる液晶シャッタユニットと、
前記液晶ユニットを構成する複数の液晶セルを、該複数の液晶セルを配列順に複数ずつ複数のグループに区切ったときの各グループごとに分担して画像情報に応じて駆動する複数の駆動ユニットであって、自分が分担する複数の液晶セルそれぞれを駆動する各駆動信号を出力する信号出力端子が、前記液晶ユニット側を向いて前記第１のピッチよりも狭い第２のピッチで複数個配列されてなる、前記グループ数と同数の駆動ユニットと、
前記駆動ユニットを構成する各グループ内の複数の液晶セルそれぞれと、該各グループを分担する各駆動ユニットを構成する複数の信号出力端子それぞれとを接続する、該各駆動ユニットから前記液晶ユニットに向かって該液晶ユニットごとに扇状に広がる複数の配線と、
互いに隣接するとともに、互いに隣接する駆動ユニットにより駆動される２つの液晶セルに各一端が接続され、該２つの液晶セルそれぞれから互いに所定間隔を隔てて延び各他端が非接続の２本以上の配線とを有する駆動装置を備え、
前記記録媒体上に前記液晶シャッタユニットを構成する各液晶セルを経由した光を照射することにより該記録媒体上に画像を記録することを特徴とするプリンタ。
【発明の詳細な説明】
【技術分野】
【０００１】
本発明は、一次元的に配列されてなる被駆動セルとその被駆動セルを駆動する駆動ユニットとを備える駆動装置とその駆動装置を備えたプリンタに関する。
【背景技術】
【０００２】
プリンタの中にはインスタントフィルムシート上にカラー画像を記録するプリンタがある。このようなプリンタの中には、発光素子からの、画像データに応じた光量をインスタントフィルムシート上に循環的に照射するにあたって副走査方向に対して直交する主走査方向に液晶シャッタを並べて各色光の光量をそれらの液晶シャッタのシャッタスピードを調節しながらインスタントフィルムシート上へ照射するようなことを行っているものもある。
【０００３】
ところで、このようにプリンタ等の装置に多数の液晶セル（上記プリンタではシャッタとして作用する）を配備する場合にはそれらの液晶セルそれぞれを駆動する駆動ユニットが必ず必要になるので、プリンタ等の装置側からすると多数の液晶セルが一次元的に配列されてなる被駆動ユニットとその被駆動ユニットを駆動するための駆動ユニットが液晶セルの電極にもなるガラス基板上に一体的に実装された駆動装置として集結されている方が装置の小型化を行なうにあたっても、装置内部の実装設計を行なうにあたっても都合が良い（例えば特許文献１、特許文献２参照）。
【０００４】
このように液晶セルの電極にもなるガラス基板上に駆動ユニットを一体的に実装して駆動装置を構成するにあたっては、各液晶セルの電極それぞれと駆動ユニットの信号出力端子それぞれとの間のパターンの長さがすべて略同一長となるような位置に液晶セルそれぞれと駆動ユニットを配置することに加えて、液晶セルの配列ピッチと駆動ユニットが備える、多数の信号出力端子のピッチも重要なポイントとなる。
【０００５】
これらのポイントを踏まえつつ、ガラス基板上の好適な位置に上記被駆動ユニットと上記駆動ユニットが配置され上記液晶セルの電極と上記駆動ユニットの信号出力端子との間のパターンの長さがすべて略同一長になるようなパターン形成が行なわれると、駆動ユニットから被駆動ユニットに対して特性の揃った信号が供給されるようになる。
【０００６】
図１は、従来の駆動装置２の一例を示す図である。
【０００７】
図１（ａ）には、プリンタに配備される駆動装置２の部分が見えるようにプリンタの上面ケースを取り外して駆動装置２の部分を上方から見た図が示されており、図１（ｂ）には、駆動装置２を構成する、一次元的に配列されてなる液晶セルアレイ２１の各液晶セル２１００〜２１３６とドライバ２ａ，２ｂの信号出力端子との間の扇状に広がる配線パターンａ１〜ａｎ，ｂ１〜ｂｎが示されている。
【０００８】
図１に示す例の場合には、上記液晶セルアレイ２１の各液晶セル２１００〜２１３６の配列ピッチがインスタントフィルム上の１ドット分の画素を実現する程度の間隔をあけたものになっているため、駆動ユニット２ａ，２ｂの信号出力端子のピッチに比べて液晶セルアレイ２１の液晶セルの配列ピッチがかなり幅広になっている。このため、ドライバ２ａ，２ｂと液晶セルアレイ２１とを繋ぐパターンの配線長をすべてほぼ同じ長さとするために一元的に配列されてなる液晶セルアレイを複数のグループＧ１，Ｇ２に区切って各グループＧ１，Ｇ２ごとに駆動ユニット２ａ，２ｂを配備するようにし、さらに特許文献１の技術を用いて駆動ユニット２ａ，２ｂそれぞれの信号出力端子と液晶セルアレイ２１の各液晶セルとの間の、扇状に広がる接続パターン長をほぼ同じ長さ（同じ抵抗値）にするように工夫している。
【０００９】
さらに特許文献１，２の技術を参考にして一つ一つのパターン幅を調整してパターンそれぞれの抵抗値を同じにするようにし、さらにクロストークの発生確率を所定の値以下とする線間容量値を満足する配線間隔でパターン形成を行なうようにもしている。
【００１０】
さらに図１では、図１（ｂ）に示すような配線パターンでパターンが形成されることを踏まえて一次元的に配列されてなる液晶素子それぞれに対してほぼ同じ特性の出力信号が供給されるようなドライバ２ａ，２ｂを準備してそれらのドライバ２ａ，２ｂで駆動装置２を構成するようにもしている。
【００１１】
しかしながら、図１に示すように各ドライバ２ａ，２ｂが備える信号出力端子それぞれと、液晶セルそれぞれとを接続するようなことを行なうと、どうしても隣接する２つのドライバ２ａ，２ｂの、互いに隣接する中央部分のパターン（符号ａｎ，ｂ１で示すところ）については他のパターン間隔とほぼ同じ配線間隔での配線が行なえなくなってしまう。
【００１２】
そうすると、予め、クロストークの影響を考慮して信号が出力されるように設計されていたドライバ２ａ，２ｂから出力された信号が、クロストークの影響を受けずにそのままパターンａｎ，ｂ１を通って液晶セル２１１７，２１１８それぞれに供給されることになるため、その２つの液晶セル２１１７，２１１８に供給される出力信号と、それらの液晶セル以外の他の液晶セル２１００〜２１１６，２１１９〜２１３６に供給される出力信号との間に相違が生じてしまうこととなる。
【００１３】
このため、上記駆動装置２が上記プリンタや表示装置などに配備されたときには表示装置にあっては、コントラストむらのある、見難い画像が表示されたり、プリンタにあっては、コントラストむらのある、見難い画像がプリントされたりするという問題が生じる。
【００１４】
そこで、上記パターン配線が行なわれることを考えて、上記中央の液晶セル２１１７、２１１８に供給される駆動信号それぞれについては信号波形を予め変更しておくことも考えられるが、駆動ユニット２ａ，２ｂ側の駆動信号の信号波形を、クロストークの影響が現れない信号出力端子２ａｎ，２ｂ１のみ変更するためには駆動ユニット２ａ，２ｂ内のその信号出力端子２ａｎ，２ｂ１付近に補正回路等を付加するなどの施策をとらなければならないため駆動ユニットであるドライバ２ａ，２ｂが大型化し、かつ高価になってしまう。
【特許文献１】特開平７−１１４０３６号公報
【特許文献２】特開平１０−３３９８８０号公報
【発明の開示】
【発明が解決しようとする課題】
【００１５】
本発明は上記問題点を解決し、プリンタや表示装置等に配備されたときにコントラストむらのある画像が表示されたり、コントラストむらのある画像がプリントされたりすることのない、小型かつ低廉な駆動装置、およびその駆動装置が適用され小型化が実現されたプリンタを提供することを目的とするものである。
【課題を解決するための手段】
【００１６】
上記目的を達成する本発明の駆動装置は、駆動信号の入力を受けて動作する被駆動セルが所定の配列方向に所定の第１のピッチで一次元的に複数個配列されてなる被駆動ユニットと、
上記被駆動ユニットを構成する複数の被駆動セルの駆動を、その複数の被駆動セルを配列順に複数ずつ複数のグループに区切ったときの各グループごとに分担する複数の駆動ユニットであって、自分が分担する複数の被駆動セルそれぞれを駆動する各駆動信号を出力する信号出力端子が、上記被駆動ユニット側を向いて上記第１のピッチよりも狭い第２のピッチで複数個配列されてなる、上記グループ数と同数の駆動ユニットと、
上記駆動ユニットを構成する各グループ内の複数の被駆動セルそれぞれと、その各グループを分担する各駆動ユニットを構成する複数の信号出力端子それぞれとを接続する、その各駆動ユニットから上記被駆動ユニットに向かってその駆動ユニットごとに扇状に広がる複数の配線と、
互いに隣接するとともに、互いに隣接する駆動ユニットにより駆動される２つの被駆動セルに各一端が接続され、該２つの被駆動セルそれぞれから互いに所定間隔を隔てて延び各他端が非接続の２本の配線とを有することを特徴とする。
【００１７】
上記本発明の駆動装置によれば、上記所定間隔を隔てた２本の配線を付加することによって、上記複数の配線の配線間隔とほぼ同じ間隔の配線間隔が、図１に示す駆動装置の中央部分のパターンａｎ，ｂ１にも保たれることとなる。
【００１８】
そうすると他の部分と同じ様に図１に示すパターンａｎ，ｂ１上にもクロストークの影響が他のパターンと同程度に現れるようになって、互いに隣接するとともに、互いに隣接する駆動ユニットにより駆動される２つの被駆動セルに対しても、他の部分の被駆動セルに供給される信号とほぼ同じ信号が供給されるようになる。
【００１９】
このように本発明の駆動装置を構成する駆動ユニットから被駆動ユニット側の、一次元的に配列されている各素子に対してほぼ同じ信号が供給されるようになると、プリンタや表示装置等に本発明の駆動装置が配備されたときに、コントラストむらのある画像が表示画面上に表示されたり、記録担体上にプリントされたりすることがなくなる。また、上記本発明の駆動装置を製作するにあたっては、従来のものに加えて配線を２本追加するという簡単な変更のみで製作が行なえるので、駆動装置の大型化を招かず、さらには駆動装置の低廉化、ひいてはその駆動装置が搭載されるプリンタや表示装置等の低廉化を図ることが可能となる。
【００２０】
ここで、上記２本以上の配線が、上記２つの被駆動セルに各一端が接続され各他端が非接続の２本の配線であって、
上記２つの被駆動セルのうちの一方である第１の被駆動セルと上記駆動ユニットとを結ぶ配線を第１の配線と称し、上記第１の被駆動セルに隣接する、その第１の被駆動セルを上記２つの被駆動セルのうちの他方である第２の被駆動セルとの間に挟む第３の被駆動セルと上記駆動ユニットとを結ぶ配線を第２の配線と称し、上記第１の被駆動セルに一端が接続され他端が非接続の配線を第３の配線と称し、上記第２の被駆動セルに一端が接続され他端が非接続の配線を第４の配線と称し、
上記第２の配線と上記第１の配線とが隣接して延びる長さをＬｓｔ、上記第２の配線と上記第１の配線とが隣接して延びる部分のその第２の配線とその第１の配線との間の間隔をＤｓｔ、上記第３の配線と上記第４の配線とが隣接して延びる長さをＬｕｖ、上記第３の配線と上記第４の配線とが延びる部分のその第３の配線とその第４の配線との間の間隔をＤｕｖとしたとき、
上記第３の配線と前記第４の配線とからなる２本の配線が、
Ｌｓｔ／Ｄｓｔ＝Ｌｕｖ／Ｄｕｖ
を満足する配線であることが好ましい。
【００２１】
そうすると、あたかも第２の配線と第１の配線と第３の配線と第４の配線とが等間隔に配線されているかのようになり、上記第１の配線と上記第３の配線との間に上記第２の配線が位置してその第２の配線に他の配線部分と同様のクロストークの影響が現れるようになる。このようにクロストークの影響が他の部分と同様に与えられるようになると、上記駆動ユニットから上記被駆動ユニットに供給される駆動信号の振幅値にばらつきがなくなって例えば被駆動ユニットが液晶セルなどであった場合には振幅値のばらつきにより発生していたコントラストむらの発生が抑制される。
【００２２】
また上記２本以上の配線が上記２つの被駆動セルから互いに所定間隔を隔ててうねりながら延びた形状を有するものであっても良い。
【００２３】
上記２つの被駆動セルそれぞれから互いに所定間隔を隔てて延び各他端が非接続の２本の配線を行なうと抵抗値や線間容量値が丁度良い値にならない場合もある。そういう場合には、うねりを設ける様にして抵抗値や容量値を調整することができるようにしておくと良い。
【００２４】
そうすると、表示装置やプリンタを含むどのような装置にこの駆動装置が適用されたとしても、上記のようなうねりを設けて配線の長さや間隔の調整を行なうことによって好適な線間容量値や抵抗値が得られるようになるため、いつでも鮮明な画像が表示画面上に表示されたり、フィルム等の記録担体上にプリントされたりするようになる。
【００２５】
上記したようなプリンタにこの駆動装置を適用すると、
上記被駆動セルが、駆動信号を受けて開閉する液晶セルであって、上記駆動ユニットが、その被駆動セルの開閉を制御する制御信号を出力するドライバになる。
【００２６】
上記目的を達成する本発明のプリンタは、  記録媒体上に光で画像を書き込むプリンタにおいて、
駆動信号の入力を受けて動作する液晶セルが所定の配列方向に所定の第１のピッチで一次元的に複数個配列されてなる液晶シャッタユニットと、
上記液晶ユニットを構成する複数の液晶セルを、その複数の液晶セルを配列順に複数ずつ複数のグループに区切ったときの各グループごとに分担して画像情報に応じて駆動する複数の駆動ユニットであって、自分が分担する複数の液晶セルそれぞれを駆動する各駆動信号を出力する信号出力端子が、上記液晶ユニット側を向いて上記第１のピッチよりも狭い第２のピッチで複数個配列されてなる、上記グループ数と同数の駆動ユニットと、
上記駆動ユニットを構成する各グループ内の複数の液晶セルそれぞれと、該各グループを分担する各駆動ユニットを構成する複数の信号出力端子それぞれとを接続する、その各駆動ユニットから前記液晶ユニットに向かって該液晶ユニットごとに扇状に広がる複数の配線と、
互いに隣接するとともに、互いに隣接する駆動ユニットにより駆動される２つの液晶セルに各一端が接続され、該２つの液晶セルそれぞれから互いに所定間隔を隔てて延び各他端が非接続の２本以上の配線とを有する駆動装置を備え、
上記記録媒体上に上記液晶シャッタユニットを構成する各液晶セルを経由した光を照射することによりその記録媒体上に画像を記録することを特徴とする。
【００２７】
上記本発明のプリンタによれば、上記本発明の駆動装置を配備することでプリンタの小型化が達成される。
【発明の効果】
【００２８】
以上説明したように、本発明によれば、プリンタや表示装置等に配備されたときにコントラストむらのある画像が表示されたり、コントラストむらのある画像がプリントされたりすることのない、小型かつ低廉な駆動装置が実現される。またその小型化された駆動装置をプリンタ内部に配備することでプリンタの小型化が実現される。
【発明を実施するための最良の形態】
【００２９】
以下図面を参照して本発明の実施の形態を説明する。
【００３０】
図２は、上記本発明の駆動装置が配備されたプリンタ１を、斜め前方から見た斜視図である。
【００３１】
このプリンタ１は、携帯電話などと組み合わされて使用されるものであって、露光により潜像が記録され送り出しの際に現像剤が展開されて顕像化されるインスタントフィルムシートが複数枚（ここでは１０枚として説明する）積層されたインスタントフィルムパックが媒体装填室に装填され、そのインスタントフィルムシートを画像データに応じて露光して外部に送り出しながらそのインスタントフィルムシートに現像剤を展開するものである。
【００３２】
携帯電話にはＩＲＤＡ（ＩｎｆＲａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。
【００３３】
このプリンタ１は、そのカメラ付き携帯電話で撮影された画像を表わす画像データまたはメールなどで携帯電話に送信されてきた画像データが赤外線通信を用いてこのプリンタ１に送信されてきたときに、その画像データに基づいてインスタントフィルムシート上に画像の記録を行なうものであり、さらにその送信された画像データに基づく画像の再記録を、携帯電話から再送信をわざわざ行なわなくても、後述するリピートスイッチを操作するという簡単な操作で別のインスタントフィルムシート上に行なえるものである。
【００３４】
このプリンタ１は、図２に示すように薄型で軽量かつ小型の構造を有する可搬型のプリンタであり、３Ｖ用の一次電池が２個内蔵される。このプリンタ１の筐体１ａ内にインスタントフィルムパックが装填され、そのインスタントフィルムパック内の、積層された１０枚のインスタントフィルムシート一枚一枚に画像の記録が行なわれる。本実施形態においては上記本発明の駆動装置を図２に示すプリンタ内部に搭載することによって上記薄型であって軽量かつ小型の構造を実現している。
【００３５】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタンフィルムシートの残り枚数を示すカウンタ１３が設けられている。このカウンタ１３は機械式のカウンタであり、未使用のインスタントフィルムパックが装填されると残り枚数が１０枚であることを示す数値‘１０’が表示される。以下、インスタントフィルムシートに画像の記録が行なわれる度に枚数が減算された残り枚数を示す数値が表示され、１０枚目のインスタントフィルムシートに画像の記録が行なわれると残り枚数が０枚であることを示す数値‘０’が表示される。尚、インスタントフィルムパックが抜かれた場合は、何も表示されないブランク状態となる。
【００３６】
また、このプリンタ１の端部には、前述した赤外線通信により送信されてきた画像データを受信するとともに受信された旨を相手側に知らせるための信号を送信する送受信部１４が備えられている。
【００３７】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００３８】
また、プリンタ１の側面には、そのプリンタ１の下面側に設けられた後述するフイルムドアを開放するためのフイルムドア開放スイッチ１８が備えられており、コーナー部にはストラップ取付部１９が備えられている。
【００３９】
図３は、図２に示すプリンタにおいて、カメラ付き携帯電話からの画像データに基づいて画像が記録されたインスタントフィルムシートが排出される様子を示す図である。
【００４０】
カメラ付き携帯電話３の赤外線通信部をプリンタ１の送受信部１４に向けた状態で、そのカメラ付き携帯電話３を操作して、カメラ付き携帯電話３で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタントフィルムシート１００１上に行ないながら、そのインスタントフィルムシート１００１を顕像しつつ、プリンタ１の送出口１９から外部へ徐々に排出する。その後、リピートＳＷ１２（図２参照）が操作されたときにも、その画像と同じ画像の再記録が別のインスタントフィルムシート上に行なわれる。
【００４１】
図４は、図２に示すプリンタの下面側を斜め上方から見た斜視図である。
【００４２】
このプリンタ１の下面側には、図２に示すフイルムドア開放スイッチ１８（図２参照）の操作により開放されるフイルムドア２０が設けられており、このフイルムドア２０が開けられ、インスタントフィルムパックが媒体装填室に装填される。また、フイルムドア２０には、インスタントフィルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００４３】
図５は、図４に示すプリンタの、フイルムドア２０が開けられた状態の斜視図である。
【００４４】
フイルムドア２０の内側には、前述したパック在否確認窓２０ａと、バネ部材２０ｂ,２０ｃが設けられており、これらのバネ部材２０ｂ，２０ｃによってインスタントフィルムパック内に積層されたインスタントフィルムシートがプリンタ１の上面側に押圧される。
【００４５】
また、プリンタ１には、インスタントフィルムパックを装填するための媒体装填室２２が設けられている。媒体装填室２２外の、図５における右側には、本発明の駆動装置を備える画像書込部３００およびインスタントフィルムシートを搬送する搬送機構を構成する搬送ローラ２３が設けられている。また、媒体装填室２２内の、図５における下方には、インスタントフィルムシートを画像書込部３００および搬送ローラ２３側に送り出させるための爪（クロー）２４が設けられている。このような構成によって、インスタントフィルムパック内のインスタントフィルムシートのうちの、プリンタ１の一番上面側にあるインスタントフィルムシートが爪２４で押し上げられて搬送ローラ２３で搬送されながら画像書込部３００で記録される。
【００４６】
図６は、プリンタ内部の制御系統を示す構成ブロック図である。
【００４７】
図６の右端側には、図２に示すプリンタ１の模式図が示されており、この右端部を除く全域に、このプリンタ１の制御系統を示す構成が示されている。尚、図６に示す矢印は、このプリンタ１における、制御系統を示す構成要素それぞれの配置関係を示す。
【００４８】
このプリンタ１には、メイン基板部１００と、サブ基板部２００と、本発明の複数の駆動ユニットにあたる２つのドライバ３０１ａ，３０１ｂと被駆動ユニットにあたる液晶セルアレイ３０１１とを有する駆動装置３０１を備える画像書込部３００と、ＦＰＩ部４０１と、ＥＮＣＰＩ部４０２と、ＣＯＵＮＴＰＩ部４０３と、カムスイッチ４０４と、前述した送受信部１４に設けられたＩｒＤＡ送受信部４０５と、モータ４０６とが備えられている。モータ４０６には直流モータが用いられる。
【００４９】
サブ基板部２００には、前述した電源ＳＷ１１，リピートＳＷ１２、および表示用ＬＥＤ部２０１が備えられている。表示用ＬＥＤ部２０１には、図２に示す電源用ＬＥＤ１５，通信エラー用ＬＥＤ１６，ローバッテリ表示用のＬＥＤ１７、およびカウンタ１３の裏側に設けられたカウンタバックライト用のＬＥＤ（不図示）が備えられている。
【００５０】
画像書込部３００には、光ガイドや液晶シャッタ（ＬＣＳ）として作用する液晶セルアレイ３０１１等を有する光ヘッド部３０１と、その光ヘッド部３０１の液晶セルアレイ３０１１のガラス電極基板上に配設されている２つのドライバ３０１０ａ，３０１０ｂとそれらのドライバ３０１０ａ，３０１０ｂとメイン基板部１００とを接続するフレキシブルケーブル３０２と、フレキシブルケーブル３０３に実装されたレッド（Ｒ）,グリーン（Ｇ）,ブルー（Ｂ）の発光色を持つ発光素子（ＬＥＤ）３０４,３０５,３０６（これらの発光素子は、光ヘッド３０１の一部になるので、図６には光ヘッド３０１内に発光素子それぞれが示されている）とが備えられている。前述したようにこの画像書込部３００内の液晶セルアレイ３０１１が本発明にいう被駆動ユニットにあたり、２つのドライバ３０１０ａ，３０１０ｂが本発明にいう駆動ユニットにあたり、２つのドライバ３０１０ａ，３０１０ｂと液晶セルアレイ３０１１との双方で駆動装置３０１０が構成される。
【００５１】
この画像書込部３００は、詳細は後述するが、搬送途中のインスタントフィルムシートに、後述する書込指示パルスに同期してＬＥＤ３０４,３０５,３０６からのＲ，Ｇ，Ｂの３つの色光を循環的に照射することにより、そのインスタントフィルムシートに潜像を書き込む。また、プリンタ１には、３Ｖ用の一次電池４０７が２個内蔵される。
【００５２】
以下、メイン基板部１００について説明する。メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（図６にはＦＬＡＳＨと記載してある）１０４と、ＳＤＲＡＭ１０５とが備えられている。
【００５３】
ＭＰＵ１０１は、このプリンタ１の動作を統括的に制御する。
【００５４】
発振子１０２は、所定の周波数の発振信号を生成してＭＰＵ１０１に動作用のクロック信号として供給する。
【００５５】
リセット回路１０３は、ＭＰＵ１０１の初期化を行なうためのリセット信号を出力する。
【００５６】
フラッシュメモリ１０４は、不揮発性のメモリであり、このフラッシュメモリ１０４には、プリンタ１固有の機構等に依存して定まる個体差調整用の調整値等が記憶される。
【００５７】
ＳＤＲＡＭ１０５は、揮発性のメモリであり、このＳＤＲＡＭ１０５には、カメラ付き携帯電話３からの画像データ等が記憶される。
【００５８】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００５９】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタントフィルムシートに画像を記録し、速やかに通常の動作モードからスタンバイモードに移行する。また、リピートＳＷ１２が押された場合もインスタントフィルムシートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００６０】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００６１】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００６２】
ＴＰＧ部１１１は、ＤＣ／ＤＣコンバータ１０８から出力される１５Ｖの電圧をオン，オフする。
【００６３】
温度検出部１１２は、画像書込部３００の温度を検出する。ＭＰＵ１０１は、この温度検出部１１２からの検出信号に応じて光学ヘッド部３０１内の液晶セルアレイ３０１１のここでは液晶シャッタとして作用する各液晶セルの開閉時間等をドライバに指示することにより制御する。
【００６４】
この液晶セルアレイ３０１１は、前述したフレキシブルケーブル３０３に実装された発光体である３つのＬＥＤ３０４，３０５，３０６から発せられた複数色の色光に共通の光路上に配置され、ＭＰＵ１０１からの指示に応じてＩｒＤＡ／ＬＣＳ制御部１１４の制御の基、上記とは別のフレキシブルケーブル３０２を通って２つのドライバ３０１ａ，３０１ｂを介して液晶セルアレイ３０１１それぞれの各液晶セルの電極間に印加される電圧により開閉してその色光のインスタントフィルムシートへの照射を制御するものである。また、上記フレキシブルケーブル３０３に実装された３つのＬＥＤ３０４，３０５，３０６それぞれを駆動するヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００６５】
また、上記液晶セルアレイ３０１１の制御を行なうＩｒＤＡ／ＬＣＳ制御部１１４は、発振子１１３からの発振信号に基づいてＩｒＤＡ送受信部４０５および光ヘッド部３０１を制御する。そのＩｒＤＡ送受信部４０５には赤外線通信を行なうための投光素子および受光素子が備えられており、ＩｒＤＡ／ＬＣＳ制御部１１４は、受光素子で光電変換されたデータをＭＰＵ１０１に送ったり、ＭＰＵ１０１からその旨を外部の機器に知らせるためのデータを投光素子経由で外部に送信したりする。また、ＩｒＤＡ／ＬＣＳ制御部１１４は、ＭＰＵ１０１からの指示に基づいて、フレキシブルケーブル３０２を経由してドライバを介して液晶セルアレイ３０１１の各液晶セルの電極間に電圧を加えて画像データに応じて各液晶セルの開閉を制御する。
【００６６】
この液晶シャッタ（ＬＣＳ）として作用する液晶セルアレイ３０１１の各液晶セルの開閉をＩｒＤＡ／ＬＣＳ制御部１１４に制御させるにあたってＭＰＵ１０１は、ＥＮＣＰＩ部４０２からのエンコーダ信号を受けて、そのエンコーダ信号をそのままＩｒＤＡ／ＬＣＳ制御部１１４に供給して液晶セルアレイ３０１１の各液晶セルの開閉を制御させるようにしている。この液晶セルアレイの各液晶セルの開閉をＩｒＤＡ／ＬＣＳ制御部に制御させているときにＭＰＵ１０１は、ヘッドＬＥＤ駆動部１１５に、その書込指示パルス一つにつき複数色の色それぞれで各ＬＥＤ３０４，３０５，３０６を順次点灯させそれら複数色の色光での点灯が一巡した後の、次の書込指示パルスまでの待機期間は、各ＬＥＤ３０４，３０５，３０６に消灯状態を維持させる制御を行なわせている。
【００６７】
以上説明したように本実施形態のプリンタ１は、インスタントフィルムシートをモータ４０６で所定の副走査方向（インスタントフィルムシートが送り出される方向）に送りながら、そのインスタントフィルムシート上にＲ，Ｇ，Ｂの３色の色光を循環的に照射するとともに、その副走査方向に交わる主走査方向については、その主走査方向に並ぶ全画素について、同時に同じ色の書込を行なうことにより、画像データに基づく潜像の記録を露光によりインスタントフィルムシート１００１上に行ないながら、そのインスタントフィルムシート１００１を顕像しつつ、プリンタ１の送出口１９から外部へ徐々に排出する。
【００６８】
その潜像をインスタントフィルムシート上に記録する際、前述したようにＭＰＵ１０１が、ＬＥＤ駆動制御部１１５に、フレキシブルケーブル３０３に備えられたＬＥＤ３０４，３０５，３０６それぞれの点灯を制御させながら、同時にＩｒＤＡ／ＬＣＳ制御部１１４に、液晶シャッタとして作用する液晶セルアレイ３０１０の各液晶セルごとの開閉を画像信号に応じて行なわせつつ、各色光を順次インスタントフィルムシート上に照射させることによりインスタントィルムシート全体に潜像を記録させている。
【００６９】
ここで、画像書込部３００内の、本発明にいう駆動装置３０１０の構成を説明する。
【００７０】
図７は、図１に対応する図であって本実施形態のプリンタ１に組み込まれている駆動装置３０１０の構成を示す図である。
【００７１】
図７（ａ）には、プリンタ１に配備される駆動装置３０１０の部分が見えるようにプリンタ１の上面ケースを取り外して駆動装置２の部分を上方から見た図が示されており、図７（ｂ）には、駆動装置２を構成する、一次元的に配列されてなる液晶セルアレイ３０１１の各液晶セルとドライバ３０１０ａ，３０１０ｂの信号出力端子との間の扇状に広がる配線パターンがそれぞれ示されている。
【００７２】
図７（ｂ）に示すように、図１（ｂ）に示すものに２本の配線ｕ，ｖが追加されている以外、図１の構成と全く同様の構成である。
【００７３】
図１を参照して説明したように、各ドライバ３０１０ａ，３０１０ｂが備える信号出力端子それぞれと、液晶セルそれぞれとを扇状に広がるように接続すると、どうしても隣接する２つのドライバ３０１０ａ，３０１０ｂの、互いに隣接する中央部分のパターン（符号ｔ，ｗで示すところ）については他のパターン間隔とほぼ同じ配線間隔での配線が行なえなくなってしまうという不具合を抱えていた。そこで、本実施形態では、図７（ｂ）に示すように２本の配線ｕ、ｖが、中央部Ｐに追加形成されている。
【００７４】
このようにすると、あたかも非接続状態にある２本の配線ｕ，ｖ上に信号が伝送されたかのようになってクロストークの影響が他のところと同じ様に配線ｔ、ｗ上に現れるようになる。
【００７５】
ここで、図８を参照して、図１の配線に加えて追加配線を行なう場合に２本の追加配線ｕ，ｖの配線間隔Ｄと配線長Ｌとをどのように決定するかについての一例を説明しておく。−
図８は、ガラス基板３０１０ｃ（図７（ａ）参照）上に形成された配線パターンを示す図である。
【００７６】
図８（ａ）には、図７（ｂ）の中央部Ｐにある配線パターンｕ，ｖ，ｓ，ｔ，ｗの拡大図が示されており、図８（ｂ）には、対向する配線パターンそれぞれの導体厚Ｈおよび配線長Ｌが示されている。
【００７７】
周知の通り、線間の容量Ｃは、下式により算出することができる。
【００７８】
線間容量Ｃ＝ρＳ  ÷  Ｄ＝ρＨＬ  ÷Ｄ     式１    （ρは誘電率）
例えば、パターンｓ、パターンｔ間の容量Ｃｓｔと、追加された２本のパターンｕ，ｖのうちのパターンｕ、パターンｔ間の線間容量Ｃｕｔと、パターンｕとパターンｖ間の線間容量Ｃｕｖとを上記式１から算出してさらに下式２を満足するように配線を追加するようにすると、すべてが等間隔に配線されているかの如く配線を追加することができる。
【００７９】
Ｃｓｔ＋Ｃｕｔ≒Ｃｕｔ＋Ｃｕｖ    式２
ただし、パターンｔとパターンｕとの間の配線は、斜めになっているので、パターンｓ、パターンｔの間隔をＤｓｔ、パターンｕ、パターンｖの間隔をＤｕｖとし、パターンｕ，ｖ双方の配線長をＬｕｖ、パターンｓ，ｔ双方に共通の配線長をＬｓｔとして、
Ｌｓｔ／Ｄｓｔ≒Ｌｕｖ／Ｄｕｖ    式３
の関係を満足するように長さや配線間隔を修正するようにすると、２本の配線の配線間隔Ｄｕｖと配線長Ｌｕｖとが的確に決定される。
【００８０】
なお、式３の関係は、上記２本の配線ｕ、ｖを行なうために専用的に用いられるのではなく、他のすべての配線の配線間隔Ｄと配線長Ｌを決定するために用いられている。言い換えれば、複数のドライバを配設せずに一つのドライバですべての配線をしようとすると、式３の関係がすべての配線において成立しなくなるので、式３の関係がすべての配線において成立するように複数のドライバを配置し、すべての配線の長さと配線間隔をほぼ同じにしようとしているのである。
【００８１】
このようにして２本の配線ｕ，ｖが追加されると液晶セルそれぞれにほぼ同じ信号が供給されるようになってコントラストむらが引き起こされるようなことがなくなる。
【００８２】
図９は、変形例を示す図である。
【００８３】
図９のように直線的に配線を行なうと、抵抗値が他のところに比べて少々大きくなってしまうようなこともある。そこで、そのような場合には、うねりを用いて２本の配線ｕ´、ｖ´を行なうようにして配線パターンの抵抗値を少々大きくするようなことを行なうと良い。このようにすると、うねりを持たせた分、抵抗値とともに容量値の調整も行なえるようになるので、うねりのある折曲線をうまくパターニングすることによって他のところとほぼ同じクロストークの影響を２つのパターンそれぞれに与えることができるようになる。
【００８４】
なお、上記実施例では、２つのドライバが配備された場合の説明をしたが、３つ以上のドライバであっても良い。
【図面の簡単な説明】
【００８５】
【図１】従来の駆動装置２の一例を示す図である。
【図２】上記本発明の駆動装置が配備されたプリンタ１を、斜め前方から見た斜視図である。
【図３】図２に示すプリンタにおいて、カメラ付き携帯電話からの画像データに基づいて画像が記録されたインスタントフィルムシートが排出される様子を示す図である。
【図４】図２に示すプリンタの下面側を斜め上方から見た斜視図である。
【図５】図４に示すプリンタの、フイルムドア２０が開けられた状態の斜視図である。
【図６】プリンタ内部の制御系統を示す構成ブロック図である。
【図７】図１に対応する図であって駆動装置３０１０の構成を示す図である。
【図８】ガラス基板上に形成されたパターンを示す図である。
【図９】変形例を示す図である。
【符号の説明】
【００８６】
１  プリンタ
１ａ  筐体
２    駆動装置
３  カメラ付き携帯電話
１１  電源スイッチ（電源ＳＷ）
１２  リピートスイッチ（リピートＳＷ）
１３  カウンタ
１４  送受信部
１５  電源用ＬＥＤ
１６  通信エラー用ＬＥＤ
１７  ローバッテリ表示用のＬＥＤ
１８  フイルムドア開放スイッチ
１９  ストラップ取付部
１９  送出口
２０  フイルムドア
２０ａ  パック在否確認窓
２０ｂ,２０ｃ  バネ部材
２１  電池蓋
２２  媒体装填室
２３  搬送ローラ
２４  爪（クロー）
１００  メイン基板部
１０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
１１７＿１  制御部
１１７＿２  積分回路
１１７＿２ａ  抵抗素子
１１７＿２ｂ  コンデンサ素子
１１７＿３  スイッチ回路
１１７＿３ａ，１１７＿３ｂ，１１７＿３ｃ  接点
２００  サブ基板部
２０１  表示用ＬＥＤ部
３００  画像書込部
３０１  光ヘッド部
３０１０    駆動装置
３０１０ａ  ３０１０ｂ    ドライバ
３０１１    液晶セルアレイ
３０２，３０３  フレキシブルケーブル
３０４,３０５,３０６  発光素子（ＬＥＤ）
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  モータ
４０７  一次電池
１００１  インスタントフィルムシート
【図１】
2006317540.tif 000003
【図２】
2006317540.tif 000004
【図３】
2006317540.tif 000005
【図４】
2006317540.tif 000006
【図５】
2006317540.tif 000007
【図６】
2006317540.tif 000008
【図７】
2006317540.tif 000009
【図８】
2006317540.tif 000010
【図９】
2006317540.tif 000011